(57)【要約】      （修正有）【課題】オリジナル性高く、かつ夜間のヘッドライトにきわめて効果的に反射発光する鑑札を提供する。【解決手段】基板の表面全体に反射シールを貼り、該反射シール面に、鑑札登録に必要な情報表示が印刷されている。反射シールを、基板の表裏面に設け、基板の一部に吊穴付き突片を設ける。【選択図】図１
0003158372.tif 000002
【実用新案登録請求の範囲】
【請求項１】
犬などのペットに取り付ける鑑札であって、基板の表面全体に反射シールを貼り、該反射シール面に、鑑札登録に必要な情報表示をしたことを特徴とする愛玩動物用反射発光する鑑札。
【請求項２】
前記する反射シールが、超高輝度型反射シールである請求項１記載の愛玩動物用反射発光する鑑札。
【請求項３】
前記する反射シールが、基板の表裏面に設けて成る請求項１又は請求項２に記載する愛玩動物用反射発光する鑑札。
【請求項４】
前記する基板の一部に吊穴付き突片を設けて成る請求項１から請求項３のいずれかの項に記載する愛玩動物用反射発光する鑑札。
【考案の詳細な説明】
【技術分野】
【０００１】  本考案は、犬や猫などの愛玩動物に付ける鑑札が夜間は強力に反射発光し、かつマスコットや好みの飾りを吊り下げられる機能的にして装飾効果を得られる鑑札に関する。
【背景技術】
【０００２】  従来より、犬や猫などのペットには、迷子の時や交通事故等で死亡した際に飼い主が分かるようにすることはもとより、特に犬の場合は、狂犬病予防のためにも鑑札を付けることが飼い主に義務付けられている。その形は（２・５×３・５センチ）の金属板等に登録年度、登録番号、管轄行政名等を表示したり、予防注射シールなどを貼ったプレートを、犬の首輪に取り付けるか吊り下げる鑑札が提供されている。【０００３】  また、最近の電子機器の進歩により、情報の読み書きが自由にできる小さなＩＣモジュールを備えた鑑札の技術も提供され、必要な時はペットや鑑札に直接触れずにＩＣタグリーダライタを用いて情報を読み取れる鑑札の技術がある。（例えば、特許文献１参照）【０００４】
【先行技術文献】
【特許文献１】特開２００７−１４２１４公報
【考案の概要】
【考案が解決しようとする課題】
【０００５】  従来は前記するような鑑札が提供されているが、小型犬には大き過ぎたり・デザインが悪く格好が良くない、その他の理由で装着率がきわめて低く約２５パーセントくらいであった。そのため、国は本年内にも地方行政の判断で大きさや形、デザインを自由に決められるように規則を改正する方針に決めた。また従来の鑑札において、夜間の散歩時に走行車からペットや飼い主の交通安全に効果的な鑑札等は提供されていなかった。【０００６】  また特開２００７−１４２１４公報に開示される鑑札は、ＩＣモジュールを採用した電子式の新しい鑑札の技術としての面白さはあるが、ＩＣタグリーダライタが手元に無い場合は肝心の情報を直ぐに読み取ることもできないし、屋内外・風雨問わず歩きまわるペットの使用において電子機器を採用することは故障要因が多く、また一般タイプの鑑札と比べるとかなりコスト高になることも避けられない。その結果、折角デザインや大きさ等の規制緩和が成されたとしても装着率を上げる要素が少なくなるなどの欠点がある。【０００７】  さらに鑑札を入れて吊り下げるケースに蓄光材や蛍光材を設けて視認性を高めるものもあるが、ケース自体もそれほど大きくなく、かつ夜間においてはほとんどその効果が期待できるものではなかった。
【課題を解決するための手段】
【０００８】  本考案は以上のような従来の欠点や不便を解消し、かつ夜間には車のヘッドライトに反射して犬や飼い主の交通安全にも寄与する鑑札を提供するために、請求項１においては、基板の表面全体に反射シールを貼り、該反射シール面に、鑑札登録に必要な情報表示をすることで、迷子時でも速やかに飼い主を捜し、かつ夜間におけるペットや飼い主の交通事故を防止できる反射発光する鑑札とする。【０００９】  請求項２においては、前記する反射シールを、超高輝度型反射シールを採用することで、小型の鑑札でも明確に反射発光して視認性高いものとする。【００１０】  請求項３においては、前記する反射シールを基板の表裏面に設けることで、吊り下げて使用した場合でも、表裏いずれかの面が反射発光するものとする。【００１１】  請求項４においては、前記する基板の一部に吊穴付き突片を設けることで首輪に固定しても吊り下げてもマスコットや飾りを取り付けられるものとする。
【考案の効果】
【００１２】  本考案による鑑札は、基板の表面又は裏面に超高輝度型の反射シールを貼るとともに、その表面にペットの登録に必要な情報表示をしたきわめて簡易でシンプルな鑑札を構成するので、製造コストは従来品と変わらないほど安価に提供できる犬の鑑札である。【００１３】  さらに、情報表示した超高輝度型の反射シールは、従来品に比べて３〜４倍以上の超高輝度の反射効特性があるので、夜間における散歩時には５０〜６０メートル以上の遠くからでもヘッドライトに感応して、あたかもＬＥＤが発光したかのように光るので、遠方からでもドライバーの視認性を高めてペットや飼い主の交通安全を図れる鑑札となる。【００１４】  加えて、鑑札の基板一部に吊穴付き突片を備えたタイプは、首輪に鑑札を固定しても、吊穴に飼い主の好みのマスコットや飾りなど吊り下げられるので、装飾性や可愛さをさらに演出できる鑑札である。
【図面の簡単な説明】
【００１５】
【図１】本考案による第１実施形態の鑑札を示す、一部を剥離した斜視図である。
【図２】第１実施形態の鑑札を示す正面図である。
【図３】第２実施形態の鑑札を示す正面図である。
【図４】第２実施形態の鑑札を示す裏面図である。
【図５】第２実施形態の鑑札をペットに取り付けた使用状態を示す参考図である。
【考案を実施するための形態】
【００１６】  本考案による鑑札の第１実施形態を図１に示す一部剥離した斜視図と図２に示す正面図で説明する。
本考案による鑑札１は、まず基板２を形成する素材はアルミ又は鉄素材等の金属又はプラスチック等の合成樹脂素材で成る、薄くても丈夫な板材による基板２とし、その基板２の表面には、裏面に強力な粘着剤３を施した超高輝度型の反射シール４を貼り、その超高輝度型の反射シール４面に、犬の登録に必要な登録年度や登録番号、管轄行政名等の情報表示５を記した一部に、首輪や胴輪に取り付けるための留め穴６，６を二つ設けて成る反射発光する鑑札１を構成する。尚、反射シール４の輝度はできるだけ高いものであればよい。
【００１７】  第１実施形態による鑑札１は、薄い基板２の表面に貼り付けた超高輝度型の反射シール４面に、登録年度、登録番号、管轄行政名等の情報表示５を表示した反射シール４を有する鑑札１を形成するので、小型犬などに用いられる小さな鑑札１であっても、超高輝度反射効果により５０メートル以上先でも車のヘッドライトに感応して光るので、きわめて遠くからでもドライバーに知らせる視認性が高い。また、基板２には二つの留め穴６，６を設けているので、二つの留め具６で首輪にしっかり固定できるとともに、一方のみ留めて吊り下げ式にも両用に使える。
【００１８】  第２実施形態による鑑札を図３に示す正面図と図４に示す裏面図で説明する。
第２実施形態による鑑札１の基板２本体は、前記第１実施形態と同様であるが、その一部に吊穴７付き突片８を設けるものとし、さらに前記基板２本体の表面には情報表示５した超高輝度型の反射シール４を貼り付けるとともに、その裏面には、単なる無地の超高輝度型の反射シール４を貼り付けて、基板２の表裏面に超高輝度型の反射シール４，４を設けた鑑札１を構成する。
【００１９】  第２実施形態による鑑札１は、一部に吊穴７付き突片８を設けた基板２本体の表面に、前記第１実施形態と同様に情報表示５した高輝度型の反射シール４を設け、それに加えて裏面には、留め穴６，６を除いた面に単なる無地の超高輝度型の反射シール４を貼り付けた鑑札１を形成するので、吊り下げ式に用いて揺れた場合でも両面のいずれかの面が反射発光する。尚、裏面の反射シール４は、留め穴６，６部を除いた面に貼り付けているが、留め穴６周囲を含めた全面に貼り付けてもよいことは勿論である。
【００２０】  加えて、基板２一部には、吊穴７付き突片８を有するので、例えば、図５の使用例図に示すように首輪Ｂに二つの留め穴６，６によって固定した場合でも、突片８の吊穴７にマスコットなどの飾り体Ａを吊り下げられる鑑札１として使える。尚、第１実施形態及び第２実施形態の裏面には予防注射済みシールを貼れるスペースとなる。
【００２１】  本考案による鑑札１は以上のような構成であるが、図示する基板２の形状は矩形であるが、これ以外に楕円、動物形などいずれの形状でも差支えないし、大きさや色も問わない。さらに取り付け用の留め穴６の数も問わないし、反射シール４は超高輝度反射タイプが最も好ましいが、他の通常の反射シールでも差支えないものであり、いずれも特に限定されるものではない。
【符号の説明】
【００２２】１  鑑札
２  基板
３  粘着剤
４  反射シール
５  情報表示
６  留め穴
７  吊穴
８  突片
Ａ  飾り体
Ｂ  首輪
【図１】
0003158372.tif 000003
【図２】
0003158372.tif 000004
【図３】
0003158372.tif 000005
【図４】
0003158372.tif 000006
【図５】
0003158372.tif 000007
【手続補正書】
【提出日】平成21年11月26日(2009.11.26)
【手続補正１】
【補正対象書類名】実用新案登録請求の範囲
【補正対象項目名】全文
【補正方法】変更
【補正の内容】
【実用新案登録請求の範囲】
【請求項１】
犬などのペットに取り付ける鑑札であって、基板の表面全体に反射シールを貼り、該反射シール面に、鑑札登録に必要な情報が印刷されていることを特徴とする愛玩動物用反射発光する鑑札。
【請求項２】
前記する反射シールが、基板の表裏面に設けて成る請求項１に記載する愛玩動物用反射発光する鑑札。
【請求項３】
前記する基板の一部に吊穴付き突片を設けて成る請求項１又は請求項２に記載する愛玩動物用反射発光する鑑札。